(57)【要約】【課題】遊技機前面部に配される機能部材に関して、機能交換や修理交換の際に機能部材を部分的に交換することや、交換した機能部材を再利用することが可能であり、交換に要する費用の低減、資源の有効利用を図ることができ、さらに、機能部材の交換による不正行為を防止することが可能な遊技機を提供すること。【解決手段】扉体基部に各種の機能部材ユニットが着脱可能に設けられた遊技機であって、上記扉体基部の開閉の検知と、開閉回数の記憶とを行う開閉検知部を備え、上記開閉検知部は独立した電源を有していることを特徴とする遊技機。【選択図】　　　図４
2004024409.tif 000002
【特許請求の範囲】
【請求項１】
前面開口を有する本体筐体と、
前記前面開口を略覆う大きさを有し、該前面開口を開閉可能に前記本体筐体に支持された扉体基部とを備えた遊技機であって、
前記扉体基部が開かれた状態であるか、閉鎖状態であるかを検知する開閉検知手段と、該扉体基部の開閉回数又は開閉の有無を記憶する開閉回数／開閉有無記憶手段とを備えた開閉検知部が設けられ、
前記開閉検知部は独立した電源を有し、当該電源から供給される電力により動作することを特徴とする遊技機。
【請求項２】
前記開閉検知部は、開閉回数／開閉有無記憶手段に記憶された扉体基部の開閉回数又は開閉の有無を表示する開閉回数／開閉有無表示手段を備えた請求項１に記載の遊技機。
【請求項３】
前面開口を有する本体筐体と、
前記前面開口を略覆う大きさを有し、該前面開口を開閉可能に前記本体筐体に支持された扉体基部と、
遊技機前面部に配される複数個の機能部材を配置領域別に１個又は複数個の単位でそれぞれユニット化してなる複数個の機能部材ユニットとを備え、
前記機能部材ユニットの少なくとも一部が、前記扉体基部の対応する取付領域に着脱可能とされてなる遊技機であって、
前記扉体基部が開かれた状態であるか、閉鎖状態であるかを検知する開閉検知手段と、該扉体基部の開閉回数を記憶する開閉回数記憶手段とを備えた開閉検知部が設けられ、
前記開閉検知部は独立した電源を有し、前記開閉検知部に備えられた各手段は、
前記電源から供給される電力により動作することを特徴とする遊技機。
【請求項４】
前記開閉検知部は、開閉回数記憶手段に記憶された扉体基部の開閉回数を表示する開閉回数表示手段を備えた請求項３に記載の遊技機。
【請求項５】
前記扉体基部には、該扉体基部を施錠可能とする施錠装置が設けられており、
前記施錠装置の近傍に、開閉検知部が設けられている請求項１〜４のいずれか１に記載の遊技機。
【発明の詳細な説明】
【０００１】
【発明の属する技術分野】
本発明は、パチンコ機やスロットマシン（パチスロ機を含む）等の遊技機に関するものである。
【０００２】
【従来の技術】
現在の遊技機においては、遊技機前面部に種々の機能部材が配されている。例えば、スロットマシンにおける機能部材としては、リールを回転始動させる際に遊技者が操作する操作レバーや、リールの回転を停止させる際に遊技者が押すストップスイッチ、あるいは遊技状態等を変動表示する液晶表示装置や、遊技状態等に応じて点灯もしくは点滅される各種表示ランプおよびそれらのカバーレンズ、遊技者に対する効果音等を出すスピーカ装置、各種の機能部材を制御しして遊技の進行を行う制御基板、さらにはリールの前面を覆う透明板や、メダルトレイ、化粧用パネル等がある。
【０００３】
従来の遊技機においては、上述したような各機能部材は、本体筐体の前面開口を開閉する扉体に一体的に組み付けられており、機種変更等を行なう際には扉体全体を交換するか、本体筐体も含めて遊技機全体を交換するように構成されているのが一般的であった。また、近年においては、扉体を複数の部分に分割して構成し、機種変更時等に交換が必要な機能部材が組み付けられている扉体部分のみを交換することにより、機種変更等に速やかに対応できるように構成された遊技機（特開２００１−９５９７３号公報参照）や、表示ユニットを着脱可能に収容する中枠を設けて、保守作業を容易とした遊技機（特許第２５６２３３０号公報参照）なども知られている。
【０００４】
【発明が解決しようとする課題】
上述したような各種機能部材の中には、破損したり劣化したりする頻度が比較的高い部材がある。例えばスロットマシンでは、遊技者が操作する操作部に関連する機能部材の破損等の可能性が他の機能部材に比べて高い。ところが、これまでの遊技機においては、破損等の不具合が生じた機能部材を単独で容易に交換し得るようには構成されていなかった。遊技場においては速やかな修理、部品交換が求められることもあり、これまでは、不具合の生じた機能部材のみを交換すれば良い場合でも、扉体全体を交換することが行なわれており、このことが保守費用を高くする要因となっていた。
【０００５】
また、これまでの遊技機では、機能部材の一部分のみを容易に交換することができないため、機種変更をするには機能部材の全部あるいは大部分を扉体ごと交換する方法しか用意されていない。このため、機種変更の際には多大な費用がかかるという問題がある。
さらに、近年、資源の有効利用を図るという要望が、遊技機製造分野においても高まっている。しかし、これまでの遊技機においては、使用可能な機能部材が再利用される機会も無く廃棄されるなど、資源の有効利用を図るという検討が十分なされていなかった。
【０００６】
そこで、本出願人は、先に、本体筐体に備えられた扉体に、各種の機能部材が着脱自在に設けられた遊技機について出願した。
このような遊技機であれば、遊技機前面部に配される機能部材に関して、機種交換や修理交換の際に機能部材を部分的に交換することや、交換した機能部材を再利用することが可能であり、交換に要する費用の低減、資源の有効利用を図り得る遊技機を提供することが可能となる。
【０００７】
しかしながら、扉体に各種の機能部材が着脱自在に設けられた遊技機においては、各種の機能部材の取り外しと取り付けとを容易に行うことができるため、一の正規の機能部材ユニットを不正に細工された機能部材に置換するような不正行為、例えば、遊技機の搬送中や遊技場の閉店中等に正規の制御基板を不正に細工された制御基板に置換するような不正行為等が行われるおそれがある。このような不正行為が行われると、遊技の公平さが失われてしまうため、一般の健全な遊技者に不公平感や不快感を与えることとなり、また、遊技場側も多大な迷惑や損害を被ることとなる。このような点において、本出願人が先に出願した遊技機には未だ改善の余地があった。
【０００８】
本発明は、上述した課題に鑑みてなされたものであり、その目的は、遊技機前面部に配される機能部材に関して、機能交換や修理交換の際に機能部材を部分的に交換することや、交換した機能部材を再利用することが可能であり、交換に要する費用の低減、資源の有効利用を図ることができ、さらに、機能部材の交換による不正行為を防止することが可能な遊技機を提供することにある。
【０００９】
【課題を解決するための手段】
以上のような目的を達成するために、本発明は、扉体基部に各種の機能部材ユニットが着脱可能に設けられた遊技機であって、上記扉体基部の開閉の検知と、開閉回数の記憶とを行う開閉検知部を備え、上記開閉検知部は独立した電源を有していることを特徴とする遊技機を提供する。
【００１０】
より具体的には、本発明は、以下のようなものを提供する。
（１）前面開口を有する本体筐体と、
前記前面開口を略覆う大きさを有し、該前面開口を開閉可能に前記本体筐体に支持された扉体基部とを備えた遊技機であって、
前記扉体基部が開かれた状態であるか、閉鎖状態であるかを検知する開閉検知手段と、該扉体基部の開閉回数又は開閉の有無を記憶する開閉回数／開閉有無記憶手段とを備えた開閉検知部が設けられ、
前記開閉検知部は独立した電源を有し、当該電源から供給される電力により動作することを特徴とする遊技機。
【００１１】
（１）の発明によれば、扉体基部が開かれた状態であるか、扉体基部が閉鎖状態であるかを検知する開閉検知手段と、該扉体基部の開閉回数又は開閉の有無を記憶する開閉回数／開閉有無記憶手段とを備えた開閉検知部が設けられているため、例えば、遊技場の閉店時と開店時との開閉回数の差や開閉の有無を確認することにより、不正に扉体基部が開閉されたか否かを把握することができる。従って、機能部材の交換等による不正行為を早期に発見することができ、結果として、機能部材の交換等による不正行為を防止することが可能となる。
【００１２】
さらに、上記開閉検知部は、独立した電源を有しており、該開閉検知部に備えられた各手段は、上記電源から供給される電力により動作するため、遊技機が遊技場に設置されていなくても、上記開閉検知部に備えられた各手段は動作することが可能である。従って、遊技機の搬送時等に機能部材を交換するような不正行為が行われた場合であっても、該不正行為を発生することができ、結果として、遊技機が遊技場に設置されていないとき（例えば、遊技機の搬送時等）における機能部材の交換による不正行為を防止することが可能となる。
【００１３】
（２）　上記（１）に記載の遊技機であって、
前記開閉検知部は、開閉回数／開閉有無記憶手段に記憶された扉体基部の開閉回数又は開閉の有無を表示する開閉回数表示手段を備えたことを特徴とする。
【００１４】
（２）の発明によれば、扉体基部の開閉回数又は開閉の有無が所定の表示装置等に表示されることになるため、遊技場の管理者等は容易に扉体基部の開閉回数又は開閉の有無を確認することができ、結果として、より確実に不正行為を防止することが可能となる。
【００１５】
（３）前面開口を有する本体筐体と、
上記前面開口を略覆う大きさを有し、該前面開口を開閉可能に上記本体筐体に支持された扉体基部と、
遊技機前面部に配される複数個の機能部材を配置領域別に１個又は複数個の単位でそれぞれユニット化してなる複数個の機能部材ユニットとを備え、
上記機能部材ユニットの少なくとも一部が、上記扉体基部の対応する取付領域に着脱可能とされてなる遊技機であって、
上記扉体基部が開かれた状態であるか、閉鎖状態であるかを検知する開閉検知手段と、該扉体基部の開閉回数を記憶する開閉回数記憶手段とを備えた開閉検知部が設けられ、
上記開閉検知部は独立した電源を有し、上記開閉検知部に備えられた各手段は、上記電源から供給される電力により動作することを特徴とする。
【００１６】
（３）の発明によれば、機能部材の一部に何らかの不具合が生じた場合には、その機能部材を有する機能部材ユニットのみを交換することにより、速やかに機能復帰を実行することが可能になる。
また、交換のために取り外した機能部材ユニットは、工場等において部品交換等の修理を行うことにより再利用をすることが可能であり、資源の有効利用を図ることが可能となる。
また、機種変更に際しても、機能部材ユニットの全部を交換する方法以外に、それらの一部のみを交換する方法により対処することが可能であり、機種変更の態様の多様化及び費用低減化を図ることが可能となる。
【００１７】
また、上記扉体基部が開かれた状態であるか、該扉体基部が閉鎖状態であるかを検知する開閉検知手段と、該扉体基部の開閉回数を記憶する開閉回数記憶手段とを備えた開閉検知部が設けられているため、例えば、遊技場の閉店時と開店時との開閉回数の差を確認することにより、不正に扉体基部が開閉されたか否かを把握することができる。従って、機能部材の交換による不正行為を早期に発見することができ、結果として、機能部材の交換による不正行為を防止することが可能となる。
【００１８】
さらに、上記開閉検知部は、独立した電源を有しており、該開閉検知部に備えられた各手段は、上記電源から供給される電力により動作するため、遊技機が遊技場に設置されていなくても、上記開閉検知部に備えられた各手段は動作することが可能である。従って、遊技機の搬送時等に機能部材を交換するような不正行為が行われた場合であっても、該不正行為を発見することができ、結果として、遊技機が遊技場に設置されていないとき（例えば、遊技機の搬送時等）における機能部材の交換による不正行為を防止することが可能となる。
【００１９】
さらに、本発明は、以下のようなものを提供する。
（４）　上記（３）に記載の遊技機であって、
前記開閉検知部は、開閉回数記憶手段に記憶された扉体基部の開閉回数を表示する開閉回数表示手段を備えたことを特徴とする。
【００２０】
（４）の発明によれば、扉体基部の開閉回数が所定の表示装置等に表示されることになるため、遊技場の管理者等は容易に扉体基部の開閉回数を確認することができ、結果として、より確実に不正行為を防止することが可能となる。
【００２１】
さらに、本発明は、以下のようなものを提供する。
（５）　上記（１）〜（４）のいずれか１に記載の遊技機であって、
前記扉体基部には、該扉体基部を施錠可能とする施錠装置が設けられており、
前記施錠装置の近傍に、開閉検知部が設けられていることを特徴とする。
【００２２】
扉体基部に設けられた施錠装置は、該扉体基部を本体筐体に固定して施錠するものであるため、扉体基部に施錠装置の近傍は、遊技機に振動や衝撃等が加えられた場合であっても、大きく振動するようなことがない。（５）の発明によれば、開閉検知部が施錠装置の近傍に設けられているため、遊技機に振動や衝撃が加えられた場合であっても、上記開閉検知部が振動や衝撃等によって誤作動することがなく、扉体基部の開閉の検知、及び、開閉回数の記憶や開閉の有無を正確に行うことが可能となる。
【００２３】
以下の説明において、上記（１）の発明の遊技機を、第一の本発明の遊技機ともいうこととし、上記（３）の発明の遊技機を、第二の本発明の遊技機ともいうこととする。なお、両者を特に区別しない場合、第一の本発明の遊技機と、第二の本発明の遊技機とをあわせて、本発明の遊技機ということとして説明する。
【００２４】
［用語の定義等］
「扉体基部」とは、本体筐体が有する前面開口を略覆う大きさを有し、該前面開口を開閉可能に本体筐体に支持されるものをいう。
第二の本発明の遊技機において、上記扉体基部には、後述する機能部材ユニットが着脱可能に取り付けられる取付領域が設けられている。
一方、第一の本発明の遊技機において、上記扉体基部には、後述する機能部材ユニットが固定配置されることとしてもよく、第二の本発明の遊技機と同様に、機能部材ユニットが着脱可能に取り付けられる取付領域が設けられていてもよい。
【００２５】
「機能部材」とは、例えば、操作ボタンや駆動機構等の機械部材、コネクタやＬＥＤ等の電気部材、ＣＰＵや液晶パネル等の電子部品、透明板や広告板等のパネル部材、スピーカ装置や照明装置等の演出部材等、遊技に直接関わる部材やその周辺に配される部材一般をいう。
【００２６】
「機能部材ユニット」とは、上述した機能部材の１個又は複数個をユニット化したものをいう。
第一の本発明の遊技機において、上記機能部材ユニットは、上記した扉体基部の取付領域に固定配置される。ただし、扉体基部に機能部材ユニットが着脱可能に取り付けられる取付領域に設けられている場合には、機能部材ユニットは取付領域に着脱可能に取り付けられることとなる。
第二の本発明の遊技機において、上記機能部材ユニットは、上記した扉体基部の取付領域に着脱可能に取り付けられるが、必ずしも、全ての機能部材ユニットが、着脱可能に取り付けられることはなく、上記機能部材ユニットのなかには、上記扉体基部に固定されて取り付けられるものが存在してもよい。
【００２７】
「開閉検知手段」とは、扉体基部が開かれた状態であるか、閉鎖状態であるかを検知する手段をいう。
なお、上記開閉検知手段は、所定のタイミングで、扉体基部が開かれた状態であるか、閉鎖状態であるかを検知することとしてもよく、また、扉体基部が開かれたことと、扉体基部が閉じられたこととを検知することとしてもよい。
上記開閉検知手段としては、従来から用いられている公知のセンサ、例えば、磁気近接式センサ、光電式センサ、機械式センサ等を用いることができる。そのようなセンサは、例えば、扉体基部の裏面又は扉体基部に設けられた機能部材の一部に設けることにより、開閉検知手段として機能させることができる。
【００２８】
第一の本発明の遊技機において、「開閉回数／開閉有無記憶手段」とは、扉体基部の開閉回数又は開閉の有無を記憶する手段をいう。
開閉回数／開閉有無記憶手段が扉体基部の開閉回数を記憶する場合、開閉回数／開閉有無記憶手段は、扉体基部が開かれた回数を記憶することとしてもよく、扉体基部が閉じられた回数を記憶することとしてもよく、扉体基部が開かれた回数と閉じられた回数を記憶することとしてもよく、さらに、扉体基部が開かれ、その後、閉じられたことをもって、開閉回数を１回増加させて記憶することとしてもよい。
一方、開閉回数／開閉有無記憶手段が扉体基部の開閉の有無を記憶する場合、開閉回数／開閉回数記憶手段は、扉体基部が開かれたときに扉体基部の開閉有と記憶することとしてもよく、扉体基部が閉じられたときに扉体基部の開閉有と記憶することとしてもよい。さらに、扉体基部が開かれ、その後、閉じられたことをもって、扉体基部の開閉有と記憶することとしてもよい。
【００２９】
第二の本発明の遊技機において、「開閉回数記憶手段」とは、扉体基部の開閉回数を記憶する手段をいう。
なお、上記開閉回数記憶手段は、例えば、扉体基部が開かれた回数を記憶することとしてもよく、扉体基部が閉じられた回数を記憶することとしてもよく、扉体基部が開かれた回数と閉じられた回数とを記憶することとしてもよく、さらに、扉体基部が開かれ、その後、閉じられたことをもって、開閉回数を１回増加させて記憶することとしてもよい。
【００３０】
第一の本発明の遊技機における開閉回数／開閉有無記憶手段、又は、第二の本発明の遊技機における開閉回数記憶手段としては、従来公知の半導体メモリ、例えば、ＤＲＡＭ（Ｄｙｎａｍｉｃ　Ｒａｎｄｏｍ　Ａｃｃｅｓｓ　Ｍｅｍｏｒｙ）等のＲＡＭや、ＥＰＲＯＭ（Ｅｒａｓａｂｌｅ　Ｐｒｏｇｒａｍｍａｂｌｅ　ＲＯＭ）、ＯＴＰＲＯＭ（Ｏｐｔｉｃａｌ　Ｐｒｏｇｒａｍｍａｂｌｅ　ＲＯＭ）、ＥＥＰＲＯＭ（Ｅｌｅｃｔｒｉｃａｌｌｙ　Ｅｒａｓａｂｌｅ　Ｐｒｏｇｒａｍｍａｂｌｅ　ＲＯＭ）、フラッシュメモリ（フラッシュ型ＥＥＰＲＯＭ）等のＲＯＭを用いることができる。
【００３１】
「開閉検知部」とは、第一の本発明の遊技機においては、上述した開閉検知手段と、開閉回数／開閉有無記憶手段とを備えたものをいい、第二の本発明の遊技機においては、上述した開閉検知手段と、開閉回数記憶手段とを備えたものをいうが、必ずしも、上述した機能部材ユニットのようにユニット化されている必要はない。なお、上記開閉検知部については、後で図面を用いて説明する。
「独立した電源」とは、遊技機自体を動作させる電力の供給源とは異なる電源であって、遊技機を構成する本体筐体の内部、又は、扉体（扉体基部）の裏側に設けられた電源をいう。
このような独立した電源としては、従来公知の電池、例えば、マンガン乾電池等のルクランシェ電池や、アルカリ乾電池、アルカリボタン電池、酸化銀電池、過酸化銀電池等のアルカリ電池や、二酸化マンガン・リチウム電池、フッ化黒鉛リチウム電池、酸化銅リチウム電池等の有機電解液電池や、空気亜鉛電池、空気湿電池等の空気電池等の一次電池を用いることができる。
【００３２】
また、独立した電源として、遊技機に供給される電力の一部を蓄えることが可能な二次電池（充電式電池）を用いることも可能である。このような二次電池としては、例えば、ニッケル・カドミウム蓄電池、ニッケル水素電池、ニッケル・亜鉛蓄電池、空気亜鉛蓄電池等のアルカリ蓄電池や、鉛蓄電池等の鉛酸系電池、リチウムイオン電池、金属リチウム二次電池等の有機電解液電池や、リチウムポリマー電池等のポリマー電池等を挙げることができる。
【００３３】
上記開閉検知部は施錠装置の近傍に設けられていることが望ましい。遊技機に振動や衝撃が加えられた場合であっても、上記開閉検知部が振動や衝撃等によって誤作動することがなく、扉体基部の開閉の検知、及び、開閉回数の記憶を正確に行うことが可能となるからである。
【００３４】
「施錠装置の近傍に開閉検知部が設けられている」とは、上述したように、開閉検知部が振動や衝撃等によって誤作動することがない程度まで、施錠装置の近くに開閉検知部が設けられていることをいう。具体的には、開閉検知部が設けられる位置は、施錠装置からの距離が１０ｃｍ以内であることが望ましく、施錠装置からの距離が３ｃｍ以内であることがより望ましい。なお、開閉検知部がユニット化されていない場合には、該開閉検知部を構成するセンサ、すなわち、開閉検知手段として機能するセンサが、施錠装置からの距離が１０ｃｍ以内の位置に設けられていることが望ましく、施錠装置からの距離が３ｃｍ以内の位置に設けられていることがより望ましい。
【００３５】
第一の本発明の遊技機において、上記開閉検知部は、開閉回数／開閉有無記憶手段に記憶された扉体基部の開閉回数又は開閉の有無を表示する開閉回数／開閉有無表示手段を備えていることが望ましい。
扉体基部の開閉回数又は開閉の有無が所定の表示装置等に表示されることになるため、遊技場の管理者等は容易に扉体基部の開閉回数又は開閉の有無を確認することができ、結果として、より確実に不正行為を防止することが可能となるからである。
【００３６】
第二の本発明の遊技機において、上記開閉検知部は、開閉回数記憶手段に記憶された扉体基部の開閉回数を表示する開閉回数表示手段を備えていることが望ましい。
扉体基部の開閉回数が所定の表示装置に表示されることになるため、遊技場の管理者等は容易に扉体基部の開閉回数を確認することができ、結果として、より確実に不正行為を防止することが可能になるからである。
【００３７】
「開閉回数を表示する」とは、開閉回数を数字により表示したり、開閉回数に相当する数のランプを点灯したりすることをいい、さらに、例えば、開閉回数が所定の回数に達したことを受けて所定のランプを点灯させること等、開閉回数及びその変化を視認することできるようにすることも、開閉回数を表示することに該当する。
【００３８】
また、開閉回数表示手段として機能する表示装置としては、特に限定されるものではないが、例えば、ブラウン管を有する表示装置や、液晶ディスプレイを有する表示装置や、ＬＥＤを備えた７セグメント表示器等を挙げることができる。
また、遊技状況を表示する液晶ディスプレイ等を備えた表示装置を、上述した開閉回数表示手段として機能させることも可能である。例えば、遊技場の管理者が、遊技機に設けられた入力装置等を介して、遊技者が知り得ないように秘密管理された特別の指示を入力することにより、遊技状況を表示する液晶ディスプレイ等を備えた表示装置に、扉体基部の開閉回数を表示させるようにすることが可能である。このようにすることにより、遊技状況を表示する液晶ディスプレイ等を備えた表示装置以外に、扉体基部の開閉回数のみを表示する表示装置を設ける必要が無くなるため、製造コストの軽減を図ることが可能になる。
【００３９】
「開閉の有無を表示する」とは、開閉があったときに遊技機に設けられたランプ等を点灯させたり、表示装置に特定の画像を表示させたりすることをいう。なお、扉体基部の開閉の有無を表示する開閉回数／開閉有無表示手段として機能する表示装置としては、特に限定されるものではないが、上述した開閉回数表示手段として機能する表示装置と同様のもの等を挙げることができる。
【００４０】
さらに、本発明の遊技機は、遊技場に設置されたＰＣ等の端末機（以下、遊技場端末機ともいう）と有線又は無線により通信可能に接続され、上述した扉体基部の開閉回数や開閉の有無を遊技場端末機に送信することとしてもよい。このようにした場合、遊技場端末機において、遊技場に設置された複数の遊技機の扉体基部の開閉回数や開閉の有無を容易に把握することができるため、不正行為をより確実に防止することが可能になる。
以下においては、第二の本発明の遊技機について説明することとする。なお、第一の本発明の遊技機は、各機能部材が扉体基部に固定配置されていること、及び、扉体基部の開閉回数又は開閉の有無が記憶可能であることを除くと、第二の本発明の遊技機と略同様である。
【００４１】
【発明の実施の形態】
以下、図面に基づいて、本発明に係る遊技機の実施形態を説明する。なお、以下の説明では、代表的な遊技機としてスロットマシンを例にとって説明する。
【００４２】
＜スロットマシン槻要＞
図２は、本発明に係るスロットマシンの一実施形態を示す斜視図である。図２に示すスロットマシン１は、遊技場の島設備等に設置される本体筐体２と、この本体筐体２の前面開口（不図示）を開閉可能なように、その右側辺部を開放端側とすると共に、その左側辺部を回動軸端側として、本体筐体２に支持された前面扉体３とを備えている。詳しくは図１を参照しながら後述するが、この前面扉体３は、扉体基部１０と、この扉体基部１０に取り付けられた各種の機能部材ユニットとを備えてなる。また、上記本体筐体２の内部には、遊技者を臨む位置に回転可能に配置された複数個（例えば、３個）のリールを備えたリール装置や、スロットマシン１を電気的に制御するための制御装置（いずれも不図示）が設けられている。
【００４３】
＜前面扉体の構成＞
次に、前面扉体３の構成について、図１及び図３を用いて説明する。
図１は、前面扉体３の構成を示す分解斜視図であり、図３は、前面扉体３の裏面図である。
図１に示すように、前面扉体３は、本体筐体２（図２参照）の前面開口を覆う大きさを有する扉体基部１０と、上述の機能部材ユニットとして、上部ユニット２０、リールパネルユニット３０、操作部ユニット４０、腰部ユニット５０、下部ユニット６０、左サイドランプユニット７０Ｌ、右サイドランプユニット７０Ｒの計７個の機能部材ユニットとを備えている。
【００４４】
扉体基部１０は、図示したような矩形状の枠部１１と、この枠部１１の左側辺部１１Ｌと右側辺部１１Ｒとを、それぞれ連結する４個の連結部１２Ａ〜１２Ｄとを備え、これらの連結部１２Ａ〜１２Ｄにより、上部ユニット取付領域１３、リールパネルユニット取付領域１４、操作部ユニット取付領域１５、腰部ユニット取付領域１６、下部ユニット取付領域１７の計５個のユニット取付領域に、上下方向に区分されている。
【００４５】
また、扉体基部１０の左側辺部１１Ｌの後部には、ヒンジ部８１Ａ，８１Ｂを備えた長蝶番部材８０がビス止めされており、右側辺部１１Ｒの後部には、施錠装置９１を備えた補強杆部材９０がビス止めされている。これら長蝶番部材８０および補強杆部材９０は、扉体基部１０の剛性を高める機能も有している。
なお、この施錠装置９１については、後で図面を用いて詳述することにする。
【００４６】
上部ユニット２０は、上部ユニット基部２１、左右一対のスピーカ２９、スピーカカバー２２Ｌ，２２Ｒ、画像表示装置２５、表示窓２３、装飾用ＬＥＤ（不図示）、レンズカバー２４、ＬＥＤ用基板、液晶パネル、コネクタ（いずれも不図示）等の各種複数個の機能部材をユニット化してなり、扉体基部１０の上部ユニット取付領域１３に、四隅をビス止めされて取り付けられる。
なお、図中では、説明の便宜上、上部ユニット２０と、スピーカ２９とを分離して示している。
【００４７】
リールパネルユニット３０は、リールパネル３１からなり、扉体基部１０のリールパネルユニット取付領域１４に、扉体基部１０の右側辺部１１Ｒ側から差し込まれるように取り付けられる。
リールパネルユニット取付領域１４の左右の両側には、５つのＢＥＴランプを取り付けることができるようにＢＥＴランプ取付領域１４Ｌ及び１４Ｒが設けられており、また、ＢＥＴランプ取付領域１４Ｌ及び１４Ｒの裏側には、ＢＥＴランプ等を備えたＢＥＴランプ用基板３２Ｌ及び３２Ｒが取り付けられる。
【００４８】
操作部ユニット４０は、操作部ユニット基部４１、遊技情報を表示するための画像表示装置４６、表示窓４２、メダル投入口４３、遊技メダルの投入を条件として上記リール装置の各リールの回転を開始させるためのスタートレバー４４、各リールに個別に対応して各リールの回転を停止させるための３個のストップスイッチ４５Ａ〜４５Ｃ、その他の操作スイッチ、コネクタ（不図示）等の各種複数個の機能部材をユニット化してなり、扉体基部１０の操作部ユニット取付領域１５に、四隅をビス止めされて取り付けられる。
【００４９】
また、操作部ユニット１５の右側の右側辺部１１Ｒには、開口１５Ａが設けられている。この右側辺部１１Ｒに設けられる右サイドランプユニット７０のサイドレンズカバー７１等にも、開口１５Ａと連通する開口７１Ａが設けられている。これらの開口１５Ａ及び７１Ａには、施錠装置９１のシリンダ錠９２が挿入されることになる。
【００５０】
腰部ユニット５０は、化粧用の腰部パネル５１単独からなり、扉体基部１０の腰部ユニット取付領域１６に、扉体基部１０の右側辺部１１Ｒ側から差し込まれるように取り付けられる。
【００５１】
下部ユニット６０は、メダルトレイ６１単独からなり、扉体基部１０の下部ユニット取付領域１７に取り付けられる。なお、上述した、上部ユニット取付領域１３、リールパネルユニット取付領域１４、および操作部ユニット取付領域１５は、前後方向が共に開放されているのに対して、上記腰部ユニット取付領域１６および下部ユニット取付領域１７は、後方側に壁部を有している。
また、腰部ユニット取付領域１６の壁部の裏側には、ＣＰＵ、ＲＡＭ及びＲＯＭを備えた制御部（制御回路）５５が設けられている。
さらに、下部ユニット取付領域１７の壁部の略中央にはメダル排出口１８が形成されており、このメダル排出口１８の後部には、メダルトレイ６１にメダルを導くためのキャンセルシュート１９が取り付けられている。
【００５２】
キャンセルシュート１９には、その側面に固定部材１９Ａ及び１９Ｂが設けられており、この固定部材１９Ａ及び１９Ｂに、それぞれ開閉検知センサ７３と解除用センサ７４とが取り付けられている。
開閉検知センサ７３は、扉体基部１０が開かれた状態であるか、閉鎖状態であるかを検知するセンサである。また、解除用センサ７４は、遊技の停止を解除するために用いられるセンサである。
なお、開閉検知センサ７３については、施錠装置９１とあわせて、後で図面を用いて詳述することにする。
【００５３】
また、下部ユニット取付領域１７の壁部の右下部分の裏側には、ＣＰＵ７５ａ、ＲＯＭ７５ｂ及びＲＡＭ７５ｃを含む開閉検知用制御部７５（図示せず）と、７セグメント表示器７９と、リセットスイッチ７２とを備えた開閉回数表示部７６が設けられている。
この開閉回数表示部７６と、上述した開閉検知センサ７３とは、開閉検知部７７を構成する。
【００５４】
左サイドランプユニット７０Ｌおよび右サイドランプユニット７０Ｒは、サイドレンズカバー７１、装飾用ＬＥＤ、ＬＥＤ用基板、コネクタ（いずれも不図示）等の各種複数個の機能部材をそれぞれユニット化してなる。これら左サイドランプユニット７０Ｌおよび右サイドランプユニット７０Ｒは、上述のごとく扉体基部１０に取り付けられた、上部ユニット２０、リールパネルユニット３０、操作部ユニット４０、腰部ユニット５０、下部ユニット６０の各機能部材ユニットを左右両方向から挟むように、扉体基部１０の左側辺部１１Ｌおよび右側辺部１１Ｒにそれぞれ取り付けられるサイド部材を構成している。そして、これら左サイドランプユニット７０Ｌおよび右サイドランプユニット７０Ｒを取り付けることにより、装飾効果や演出効果を高めることができるという効果の他に、リールパネルユニット３０や操作部ユニット４０を許可無く取り外すといった不正行為が行なわれ難くするという効果も得られる。
【００５５】
上述した各機能部材ユニットは、扉体基部１０のそれぞれ対応する各取付領域に対して着脱可能に構成されている。したがって、機能部材の一部に何らかの不具合が生じた場合には、その機能部材を有する機能部材ユニットのみを交換することにより、速やかに機能復帰を実現することが可能となる。例えば、スタートレバー４４の作動状態に不具合が生じた場合には、操作部ユニット４０を別のものに交換すればよい。交換のため取り外した機能部材ユニットは、工場等において部品交換等の修理を行なうことにより再利用することが可能であり、資源の有効利用を図ることが可能となっている。
【００５６】
また、機種変更に際しても、機能部材ユニットの全部を交換する方法以外に、それらの一部のみを交換する方法により対処することが可能であり、機種変更の態様の多様化および費用低減化を図ることが可能となっている。さらに、扉体基部１０を全機種あるいは複数機種間において共通化すれば、各機能部材ユニットの交換、再利用がより行い易くなり、資源の有効利用をより推進することが可能となると共に、部品の共通化により製造コストを低減することも可能となる。
【００５７】
なお、上述したように、上部ユニット２０や操作部ユニット４０を扉体基部１０にビス止めすることにより、前面扉体３の剛性を高めることが可能となっている。
【００５８】
次に、施錠装置９１について、図４を用いて説明する。
図４（ａ）は、図２に示すスロットマシン１のＡ−Ａ線断面図であって、前面扉体３が施錠装置９１によって施錠されている様子を模式的に示す図である。
また、図４（ｂ）は、（ａ）に示すスロットマシン１の施錠装置９１が操作されることにより前面扉体３が開錠された様子を模式的に示す図である。図４（ｃ）は、（ａ）に示すスロットマシン１の施錠装置９１が操作された様子の他の一例を模式的に示す図である。なお、図中、各部材の動作は、破線により示す矢印で表している。
【００５９】
前面扉体３の本体筐体２側となる裏面には、補強杆部材９０が設けられており、補強杆部材９０の略中央部分には、シリンダ錠９２が設けられている。シリンダ錠９２の一端は、鍵穴（図示せず）を有しており、前面扉体３の前面に露出している。一方、シリンダ錠９２の他端には、前カム３０１Ａと後カム３０１Ｂとからなる二重回動カム３０１が設けられている。
【００６０】
また、補強杆部材９０には、中央部分に係合溝３００Ａを有する操作杆３００と、操作杆３００の上下に連結され本体筐体２側へ突出した２つの錠前爪３０２とが設けられている。さらに、補強杆部材９０には、係合溝３０５Ａ（図示せず）と２つの案内溝３０５Ｂとを有する第二操作杆３０５が設けられている。
【００６１】
操作杆３００は、上下方向に摺動自在に設けられており、また、一端を補強杆部材９０に固着された２つの引張バネ３０３Ａ及び３０３Ｂの他端が固着され、常態では上方向に付勢される。その結果、錠前爪３０２は、本体筐体２内に設けられた係止部材３０４に係合され、前面扉体３は施錠される。
【００６２】
第二操作杆３０５は、補強杆部材９０に設けられた突部９０Ａが案内溝３０５Ｂに遊嵌されることによって、上下方向に摺動自在に設けられている。また、第二操作杆３０５はその下端に爪部３０５Ｃを有している。
【００６３】
上述した操作杆３００の係合溝３００Ａには、二重回動カム３０１の前カム３０１Ａが係合しており、シリンダ錠９２の鍵穴に鍵が挿入され、当該鍵が時計方向に回されると、操作杆３００は下方向に移動することになる。
第二操作杆３０５の係合溝３０５Ａ（図示せず）には、二重回動カム３０１の後カム３０１Ｂが係合しており、シリンダ錠９２の鍵穴に鍵が挿入され、当該鍵が反時計方向に回されると、第二操作杆３０５が上方向に移動することになる。
【００６４】
また、前面扉体３を構成する扉体基部１０には、その側面に固定部材１９Ａ、１９Ｂ（図示せず）を備えたキャンセルシュート１９が設けられており、固定部材１９Ａ、１９Ｂには、それぞれ開閉検知センサ７３と解除用センサ７４とが取り付けられている。
【００６５】
開閉検知センサ７３には、上下方向に移動可能な接触部材７３Ａが設けられている。開閉検知センサ７３の内部には、付勢部材（図示せず）が設けられており、接触部材７３Ａは下側へ移動するように付勢されている。
また、解除用センサ７４には、上下方向に移動可能な接触部材７４Ａが設けられている。解除用センサ７４の内部には、付勢部材（図示せず）が設けられており、接触部材７４Ａは下側へ移動するように付勢されている。
【００６６】
シリンダ錠９２の鍵穴に鍵が挿入され、当該鍵が時計方向に回されると、図４（ｂ）に示すように、二重回動カム３０１の前カム３０１Ａによって、操作杆３００は引張バネ３０３に抗して下方向に移動する。その結果、操作杆３００に連結した錠前爪３０２は下方向に移動して係止部材３０４から解除され、前面扉体３が開錠される。このとき、錠前爪３０２が下方向に移動したことによって、開閉検知センサ７３の接触部材７３Ａは付勢部材の付勢力によって下方向に移動する。開閉検知センサ７３は、このような接触部材７３Ａの下方向への移動を検知することにより、前面扉体３が開かれた状態となったことを検知する。
【００６７】
一方、前面扉体３が閉じられるとき、錠前爪３０２は上方向に移動して係止部材３０４に係合する。このとき、錠前爪３０２が上方向に移動したことによって、開閉検知センサ７３の接触部材７３Ａは付勢部材の付勢力に抗して上方向に移動する。開閉検知センサ７３は、このような接触部材７３Ａの上方向への移動を検知することにより、前面扉体３が閉鎖状態となったことを検知する。
【００６８】
また、シリンダ錠９２に鍵が挿入され、当該鍵が反時計方向に回されると、図４（ｃ）に示すように、二重回動カム３０１の後カム３０１Ｂによって、第二操作杆３０５は上方向に移動する。このとき、上方向に移動した第二操作杆３０５の爪部３０５Ｃによって、解除用センサ７４の接触部材７４Ａは付勢部材の付勢力に抗して上方向に移動する。解除用センサ７４は、このような接触部材７４Ａの上方向への移動を検知するものであり、遊技進行上の異常が発生したことによって遊技の進行が停止したとき、解除用センサ７４によって接触部材７４Ａの上方向への移動が検知されると、遊技の進行の停止が解除されることになる。
【００６９】
次に、本発明の遊技機に設けられる開閉検知部について説明する。
図５は、図２に示したスロットマシン１に設けられる開閉検知部７７の内部構造を示すブロック図である。
なお、図示しないが、上述したように、開閉検知部７７には独立した電源が設けられており、開閉検知部７７を構成する装置や機器は、この独立した電源から供給される電力によって動作する。
【００７０】
図５に示すように、開閉検知部７７は、開閉検知センサ７３と、開閉回数表示部７６とから構成されており、開閉回数表示部７６は、開閉検知用制御部７５と、リセットスイッチ７２と、７セグメント表示器７９とを備えている。また、開閉検知用制御部７５は、ＣＰＵ７５ａ、ＲＯＭ７５ｂ及びＲＡＭ７５ｃを備えている。
【００７１】
開閉検知センサ７３は、上述したように、錠前爪３０２の下方向への移動を検知すると、検知信号をＣＰＵ７５ａに送信する。
リセットスイッチ７２は、ＲＡＭ７５ｃに記憶された扉体基部１０の開閉回数を０にするためのスイッチであり、リセットスイッチ７２が操作されたときには、入力信号がＣＰＵ７５ａに供給されることになる。
【００７２】
ＣＰＵ７５ａは、開閉検知センサ７３から供給される検知信号及びリセットスイッチ７２から供給される入力信号、並びに、ＲＯＭ７５ｂ及びＲＡＭ７５ｃに記憶されたデータやプログラムに基づいて各種の処理を行う。
ＲＯＭ７５ｂは、例えば、半導体メモリによって構成され、扉体基部１０の開閉回数の記憶や、７セグメント表示器７９への開閉回数の表示等を行うためのプログラムを記憶する。
ＲＡＭ７５ｃは、上述したような半導体メモリによって構成され、扉体基部１０の開閉回数を記憶し、さらに、ＣＰＵ７５ａが行った処理の結果等を一時的に記憶する。
【００７３】
以下においては、開閉検知用制御部７５は起動しており、上述したＣＰＵ７５ａにおいて用いられる変数は所定の値に初期化され、定常動作しているものとする。
次に、上述した開閉検知用制御部７５において実行されるサブルーチンの一例について、図６に示すフローチャートを用いて説明する。
図６は、上述した開閉検知用制御部７５において実行されるサブルーチンを示すフローチャートである。なお、このサブルーチンは、予め実行されている開閉検知用制御部７５の動作を制御するプログラムから所定のタイミングで呼び出されて実行されるものである。
【００７４】
最初に、扉体基部１０（前面扉体３）が開かれたか否かを判断する（ステップＳ１０）。すなわち、ＣＰＵ７５ａは、開閉検知センサ７３から、接触部材７３Ａが下方向に移動した際に発せられる検知信号を受信したか否かを判断する。
扉体基部１０が開かれたと判断した場合、ＣＰＵ７５ａは、予めＲＡＭ７５ｃに記憶された開閉回数に１を加算し、開閉回数を更新（増加）させて記憶する（ステップＳ１１）。
このとき、開閉検知センサ７３と、ＣＰＵ７５ａ、ＲＯＭ７５ｂ及びＲＡＭ７５ｃを含む開閉検知用制御部７５とは、扉体基部１０の開閉回数を記憶する開閉回数記憶手段として機能する。
【００７５】
さらに、ＣＰＵ７５ａは、７セグメント表示器７９を作動させ、ＲＡＭ７５ｃに記憶された開閉回数の表示を開始する処理を行う（ステップＳ１２）。
このとき、７セグメント表示器７９と、開閉検知用制御部７５とは、扉体基部１０の開閉回数を表示する開閉回数表示手段として機能する。
【００７６】
次に、扉体基部１０が閉鎖状態となったか否かを判断する（ステップＳ１３）。すなわち、ＣＰＵ７５ａは、開閉検知センサ７３から、接触部材７３Ａが上方向に移動した際に発せられる検知信号を受信したか否かを判断する。
扉体基部１０が閉鎖状態となったと判断した場合、ＣＰＵ７５ａは、７セグメント表示器７９において行っている開閉回数の表示を停止する処理を行う（ステップＳ１４）。
上述したステップＳ１０及びＳ１３が実行されているとき、開閉検知センサ７３と、開閉検知用制御部７５とは、扉体基部１０が開かれた状態であるか、閉鎖状態であるかを検知する開閉検知手段として機能する。
【００７７】
次に、リセットスイッチ７２が操作されたか否かを判断する（ステップＳ１５）。すなわち、ＣＰＵ７５ａは、リセットスイッチ７２から供給される入力信号を受信したか否かを判断する。
リセットスイッチ７２が操作されたと判断した場合、ＣＰＵ７５ａは、ＲＡＭ７５ｃに記憶された開閉回数を０に更新して記憶する（ステップＳ１６）。
ステップＳ１５において、リセットスイッチ７２が操作されていないと判断した場合、又は、ステップＳ１６の処理を実行した場合、本サブルーチンを終了する。
なお、本発明の遊技機に設けられる開閉検知部には、必ずしも、上述したリセットスイッチが設けられている必要はない。遊技機の製造時や検査時等において必要がある場合に設置することとすればよい。
【００７８】
以上、本発明の一実施形態を説明したが、本発明は上記実施形態に限られるものではなく、種々の態様変更を行うことが可能である。
例えば、上述した実施形態においては、リール装置が本体筐体側に配されているが、リール装置をリールパネルユニットに組み込むようにしてもよい。
【００７９】
また、上述した実施形態では、扉体基部において枠部の左右の側辺部を連結する連結部を設けているが、各操作部材ユニット取付領域の区分が可能であり、扉体基部の剛性を確保し得る場合には、連結部を設けなくてもよい。
【００８０】
さらに、機能部材ユニットに、履歴データを記憶する記憶手段を設けるようにしてもよい。例えば、上述した実施形態において、上部ユニット２０、リールパネルユニット３０、操作部ユニット４０、腰部ユニット５０、下部ユニット６０、左サイドランプユニット７０Ｌ、右サイドランプユニット７０Ｒの各々に固有のＩＤが付与されたＩＣチップを搭載させ、ユニットごとに製造年月日や出荷履歴等の履歴データを更新可能なように記憶させることにしてもよい。これにより、各ユニットの疲弊度等を一括管理することが可能となり、例えば、ユニットをリユースする場合、耐用年数と比較して、ユニットごとに回収時期を判断することができる。また、市場に出回っている状態において、不正なユニットに交換されてしまったとしても、上記のＩＣチップを参照することによって、即座に発見することができる。
【００８１】
さらに、上述した実施形態では、スロットマシンを例にとって説明したが、本発明は、パチンコ機や雀球遊技機等の弾球遊技機やその他の遊技機にも適用することが可能である。
【００８２】
【発明の効果】
第一の本発明の遊技機によれば、扉体基部が開かれた状態であるか、扉体基部が閉鎖状態であるかを検知する開閉検知手段と、該扉体基部の開閉回数又は開閉の有無を記憶する開閉回数／開閉有無記憶手段とを備えた開閉検知部が設けられているため、例えば、遊技場の閉店時と開店時との開閉回数の差や開閉の有無を確認することにより、不正に扉体基部が開閉されたか否かを把握することができる。従って、機能部材の交換等による不正行為を早期に発見することができ、結果として、機能部材の交換等による不正行為を防止することが可能となる。
【００８３】
さらに、上記開閉検知部は、独立した電源を有しており、該開閉検知部に備えられた各手段は、上記電源から供給される電力により動作するため、遊技機が遊技場に設置されていなくても、上記開閉検知部に備えられた各手段は動作することが可能である。従って、遊技機の搬送時等に機能部材を交換するような不正行為が行われた場合であっても、該不正行為を発生することができ、結果として、遊技機が遊技場に設置されていないとき（例えば、遊技機の搬送時等）における機能部材の交換による不正行為を防止することが可能となる。
【００８４】
第二の本発明の遊技機によれば、機能部材の一部に何らかの不具合が生じた場合には、その機能部材を有する機能部材ユニットのみを交換することにより、速やかに機能復帰を実行することが可能になる。
また、交換のために取り外した機能部材ユニットは、工場等において部品交換等の修理を行うことにより再利用をすることが可能であり、資源の有効利用を図ることが可能となる。
また、機種変更に際しても、機能部材ユニットの全部を交換する方法以外に、それらの一部のみを交換する方法により対処することが可能であり、機種変更の態様の多様化及び費用低減化を図ることが可能となる。
【００８５】
また、上記扉体基部が開かれた状態であるか、該扉体基部が閉鎖状態であるかを検知する開閉検知手段と、該扉体基部の開閉回数を記憶する開閉回数記憶手段とを備えた開閉検知部が設けられているため、例えば、遊技場の閉店時と開店時との開閉回数の差を確認することにより、不正に扉体基部が開閉されたか否かを把握することができる。従って、機能部材の交換による不正行為を早期に発見することができ、結果として、機能部材の交換による不正行為を防止することが可能となる。
【００８６】
さらに、上記開閉検知部は、独立した電源を有しており、該開閉検知部に備えられた各手段は、上記電源から供給される電力により動作するため、遊技機が遊技場に設置されていなくても、上記開閉検知部に備えられた各手段は動作することが可能である。従って、遊技機の搬送時等に機能部材を交換するような不正行為が行われた場合であっても、該不正行為を発見することができ、結果として、遊技機が遊技場に設置されていないとき（例えば、遊技機の搬送時等）における機能部材の交換による不正行為を防止することが可能となる。
【図面の簡単な説明】
【図１】本発明の一実施形態に係るスロットマシンの前面扉体を模式的に示す分解斜視図である。
【図２】本発明の一実施形態に係るスロットマシンを模式的に示す斜視図である。
【図３】本発明の一実施形態に係るスロットマシンの前面扉体を模式的に示す裏面図である。
【図４】（ａ）は、図２に示すスロットマシンのＡ−Ａ線断面図であって、前面扉体が施錠装置によって施錠されている様子を模式的に示す図であり、（ｂ）は、（ａ）に示すスロットマシンの施錠装置が操作されることにより前面扉体が開錠された様子を模式的に示す図であり、（ｃ）は、（ａ）に示すスロットマシンの施錠装置が操作された様子の他の一例を模式的に示す図である。
【図５】本発明の一実施形態に係るスロットマシンの開閉検知部の内部構造を示すブロック図である。
【図６】図５に示す開閉検知部の開閉検知用制御部において実行されるサブルーチンを示すフローチャートである。
【符号の説明】
１　スロットマシン
２　本体筐体
３　前面扉体
１０　扉体基部
１１　枠部
１１Ｌ　左側辺部
１１Ｒ　右側辺部
１２Ａ〜１２Ｄ　連結部
１３　上部ユニット取付領域
１４　リールパネルユニット取付領域
１５　操作部ユニット取付領域
１６　腰部ユニット取付領域
１７　下部ユニット取付領域
１８　メダル排出ロ
１９　キャンセルシュート
２０　上部ユニット
２１　上部ユニット基部
２２Ｌ、２２Ｒ　スピーカカバー
２３、４２　表示窓
２４　レンズカバー
２５、４６　画像表示装置
２９　スピーカ
３０　リールパネルユニット
３１　リールパネル
３２　ＢＥＴランプ基板
４０　操作部ユニット
４１　操作部ユニット基部
４３　メダル投入ロ
４４　スタートレバー
４５Ａ〜４５Ｃ　ストップスイッチ
５０　腰部ユニット
５１　腰部パネル
６０　下部ユニット
６１　コイントレイ
７０Ｌ　左サイドランプユニット
７０Ｒ　右サイドランプユニット
７１　サイドレンズカバー
７２　リセットスイッチ
７３　開閉検知センサ
７４　解除用センサ
７５　開閉検知用制御部
７６　開閉回数表示部
７７　開閉検知部
７９　７セグメント表示器
８０　長蝶番部材
８１Ａ、８１Ｂ　ヒンジ部
９０　補強杆部材
９１　施錠装置
９２　シリンダ錠
３００　操作杆
３０１　二重回動カム
３０２　錠前爪
３０３　引張バネ
３０４　係止部材
３０５　第二操作杆
【図１】
2004024409.tif 000003
【図２】
2004024409.tif 000004
【図３】
2004024409.tif 000005
【図４】
2004024409.tif 000006
【図５】
2004024409.tif 000007
【図６】
2004024409.tif 000008